(57)【特許請求の範囲】
【請求項１】
絶縁層を介して互いに対向する第１の渦巻き状導体と第２の渦巻き状導体とを備え、前記第１の渦巻き状導体、第２の渦巻き状導体をそれぞれ構成する導体は、隣り合う導体間の距離が略同一であり、かつ、外部電極との接続部を除き、前記第１の渦巻き状導体の最外周と第２の渦巻き状導体の最外周とが上面視にて少なくとも一部が完全に重なり、さらに前記第２の渦巻き状導体の前記外部電極との接続部と、前記第１の渦巻き状導体の前記外部電極との接続部との間における前記第２の渦巻き状導体を、その前記最外周と前記第１の渦巻き状導体の前記最外周とが上面視にて重なるように配置したコモンモードノイズフィルタ。
【請求項２】
前記絶縁層における第１、第２の渦巻き状導体の渦巻きの内側にそれぞれ磁性材料からなる磁性部が形成された請求項１に記載のコモンモードノイズフィルタ。
【請求項３】
前記第１、第２の渦巻き状導体と接続されたビア電極のうち、前記第１の渦巻き状導体の前記外部電極との接続部と近い方と前記第１の渦巻き状導体とが接続され、前記第２の渦巻き状導体の前記外部電極との接続部と近い方と前記第２の渦巻き状導体とが接続された請求項１に記載のコモンモードノイズフィルタ。
【請求項４】
上面視にて前記第１の渦巻き状導体と接続されたビア電極と、前記第２の渦巻き状導体と接続されたビア電極とで、前記磁性部を挟むようにした請求項２に記載のコモンモードノイズフィルタ。
【請求項５】
上面視にて前記第１の渦巻き状導体と接続されたビア電極、前記第２の渦巻き状導体と接続されたビア電極、および前記磁性部が並ぶ方向を、本体部の前記外部電極が形成された側面と略平行になるようにした請求項４に記載のコモンモードノイズフィルタ。
【請求項６】
上面視にて前記第１、第２の渦巻き状導体の最内周部分と、前記ビア電極とを結ぶ線が、前記本体部の前記外部電極が形成された側面と略直交するようにした請求項４に記載のコモンモードノイズフィルタ。
【請求項７】
第１の渦巻き状導体と直列接続され、前記第１の渦巻き状導体と第１のコイルを構成する第３の渦巻き状導体と、第２の渦巻き状導体と直列接続され、前記第２の渦巻き状導体と第２のコイルを構成する第４の渦巻き状導体を形成し、前記第３の渦巻き状導体と第４の渦巻き状導体を他の絶縁層を介して互いに対向するようにするとともに、前記第１の渦巻き状導体、第２の渦巻き状導体、第３の渦巻き状導体、第４の渦巻き状導体の順に積層する、または前記一方のコイルを他方のコイルを構成する２つの渦巻き状導体で挟むように積層し、前記第１の渦巻き状導体と第２の渦巻き状導体とを磁気結合させ、前記第３の渦巻き状導体と第４の渦巻き状導体とを磁気結合させ、さらに、前記第３の渦巻き状導体、第４の渦巻き状導体をそれぞれ構成する導体は、隣り合う導体間の距離が略同一であり、かつ、外部電極との接続部を除き、前記第３の渦巻き状導体の最外周と第４の渦巻き状導体の最外周とが上面視にて少なくとも一部が完全に重なり、さらに前記第４の渦巻き状導体の前記外部電極との接続部と、前記第３の渦巻き状導体の前記外部電極との接続部との間における前記第４の渦巻き状導体を、その前記最外周と前記第３の渦巻き状導体の最外周とが上面視にて重なるように配置した請求項１〜６のいずれかに記載のコモンモードノイズフィルタ。
【発明の詳細な説明】
【技術分野】
【０００１】
本発明は、デジタル機器やＡＶ機器、情報通信端末等の各種電子機器に使用されるコモンモードノイズフィルタに関するものである。
【背景技術】
【０００２】
従来のこの種のコモンモードノイズフィルタは、図８、図９に示すように、積層された複数の絶縁体層１ａ〜１ｇに形成された第１のコイル２と第２のコイル３とを有し、第１のコイル２は第１、第２の渦巻き状導体４ａ、４ｂを接続して構成され、第２のコイル３は第３、第４の渦巻き状導体５ａ、５ｂを接続して構成され、さらに、第１のコイル２を構成する渦巻き状導体４ａ、４ｂと第２のコイル３を構成する渦巻き状導体５ａ、５ｂを交互に配置した構成となっていた。
【０００３】
このとき、第１、第２の渦巻き状導体４ａ、４ｂは第１のビア電極６を介して互いに接続し、第３、第４の渦巻き状導体５ａ、５ｂは第２のビア電極７を介して互いに接続しており、上面視にて第１のビア電極６と第２のビア電極７は異なる位置に配置していた。また、最下面に設けられた絶縁層１ａと最上面に設けられた絶縁層１ｇは磁性材料で構成され、他の絶縁層１ｂ〜１ｆは非磁性材料で構成されていた。そして、他の絶縁層１ｂ〜１ｆにおける、第１〜第４の渦巻き状導体４ａ、４ｂ、５ａ、５ｂの渦巻きの内側にそれぞれ磁性材料からなる磁性部８が形成されていた。さらに、第１の渦巻き状導体４ａと第３の渦巻き状導体５ａとを上面視にて重なるようにして磁気結合させ、かつ第２の渦巻き状導体４ｂと第４の渦巻き状導体５ｂとを上面視にて重なるようにして磁気結合させて、コモンモードノイズを除去するようにしていた。
【０００４】
なお、この出願の発明に関する先行技術文献情報としては、例えば、特許文献１が知られている。
【先行技術文献】
【特許文献】
【０００５】
【特許文献１】特開２００２−３７３８１０号公報
【発明の概要】
【発明が解決しようとする課題】
【０００６】
上記した従来のコモンモードノイズフィルタにおいては、互いに磁気結合する第１の渦巻き状導体４ａの巻き数と第３の渦巻き状導体５ａの巻き数を比較した場合、外部電極に接続される位置の差およびビア電極６、７に接続される位置の差によって、第１の渦巻き状導体４ａの巻き数は第３の渦巻き状導体５ａの巻き数より少なく、また同様に、第２の渦巻き状導体４ｂの巻き数が第４の渦巻き状導体５ｂの巻き数より少なくなるため、第１の渦巻き状導体４ａと第３の渦巻き状導体５ａとが上面視にて重なる部分、第２の渦巻き状導体４ｂと第４の渦巻き状導体５ｂとが上面視にて重なる部分の長さが短くなる。
【０００７】
すなわち、図１０に示すように、第３の渦巻き状導体５ａの巻き数が約３ターンであるのに対し、第１の渦巻き状導体４ａの巻き数は約２．５ターンとなっている。その結果、第１の渦巻き状導体４ａと第３の渦巻き状導体５ａとが上面視にて重なる長さは、巻き数が小さい方の第１の渦巻き状導体４ａと略同じの約２．５ターンとなってしまう。ここで、図１０の太い直線は第１の渦巻き状導体４ａと第３の渦巻き状導体５ａとが上面視にて重なる部分、破線は第３の渦巻き状導体５ａのみの部分、点線は第１の渦巻き状導体４ａのみの部分を示す。このことは、第２の渦巻き状導体４ｂと第４の渦巻き状導体５ｂとの関係にも言える。
【０００８】
さらに、巻き数の少ない第１の渦巻き状導体４ａと第２の渦巻き状導体４ｂからなる第１のコイル２の長さは、巻き数の多い第３の渦巻き状導体５ａと第４の渦巻き状導体５ｂからなる第２のコイル３の長さより短くなる。これらの結果、コモンモードインピーダンスを大きくすることができないため、コモンモードノイズの除去特性が向上しないという課題を有していた。
【０００９】
本発明は上記従来の課題を解決するもので、コモンモードノイズの除去特性を向上させることができるコモンモードノイズフィルタを提供することを目的とするものである。
【課題を解決するための手段】
【００１０】
上記目的を達成するために本発明は、以下の構成を有するものである。
【００１１】
本発明の請求項１に記載の発明は、絶縁層を介して互いに対向する第１の渦巻き状導体と第２の渦巻き状導体と、前記絶縁層における第１、第２の渦巻き状導体の渦巻きの内側にそれぞれ形成された磁性材料からなる磁性部とを備え、前記第１の渦巻き状導体、第２の渦巻き状導体をそれぞれ構成する導体は、隣り合う導体間の距離が略同一であり、かつ、外部電極との接続部を除き、前記第１の渦巻き状導体の最外周と第２の渦巻き状導体の最外周とが上面視にて少なくとも一部が完全に重なり、さらに前記第２の渦巻き状導体の前記外部電極との接続部と、前記第１の渦巻き状導体の前記外部電極との接続部との間における前記第２の渦巻き状導体を、その前記最外周と前記第１の渦巻き状導体の前記最外周とが上面視にて重なるように配置したもので、この構成によれば、外部電極との接続部以外のほとんどの箇所で、第１の渦巻き状導体と第２の渦巻き状導体とを上面視にて重なるように位置させることができるため、第１の渦巻き状導体の巻き数と第２の渦巻き状導体の巻き数を略同一にすることができ、これにより、第１の渦巻き状導体と第２の渦巻き状導体とが上面視にて重なる部分の長さを長くすることができるため、第１の渦巻き状導体と第２の渦巻き状導体との磁気結合を強くすることができ、コモンモードノイズの除去特性を向上させることができるという作用効果を有するものである。
【００１２】
本発明の請求項７に記載の発明は、第１の渦巻き状導体と直列接続され、前記第１の渦巻き状導体と第１のコイルを構成する第３の渦巻き状導体と、第２の渦巻き状導体と直列接続され、前記第２の渦巻き状導体と第２のコイルを構成する第４の渦巻き状導体を形成し、前記第３の渦巻き状導体と第４の渦巻き状導体を他の絶縁層を介して互いに対向するようにするとともに、前記第１の渦巻き状導体、第２の渦巻き状導体、第３の渦巻き状導体、第４の渦巻き状導体の順に積層する、または前記一方のコイルを他方のコイルを構成する２つの渦巻き状導体で挟むように積層し、前記第１の渦巻き状導体と第２の渦巻き状導体とを磁気結合させ、前記第３の渦巻き状導体と第４の渦巻き状導体とを磁気結合させ、さらに、前記第３の渦巻き状導体、第４の渦巻き状導体をそれぞれ構成する導体は、隣り合う導体間の距離が略同一であり、かつ、外部電極との接続部を除き、前記第３の渦巻き状導体の最外周と第４の渦巻き状導体の最外周とが上面視にて少なくとも一部が完全に重なり、さらに前記第４の渦巻き状導体の前記外部電極との接続部と、前記第３の渦巻き状導体の前記外部電極との接続部との間における前記第４の渦巻き状導体を、その前記最外周と前記第３の渦巻き状導体の最外周とが上面視にて重なるように配置したもので、この構成によれば、第１、第２のコイルの導体長さを長くすることができるため、よりコモンモードノイズの除去特性を向上させることができるという作用効果を有するものである。
【発明の効果】
【００１３】
以上のように本発明のコモンモードノイズフィルタは、第１の渦巻き状導体、第２の渦巻き状導体をそれぞれ構成する導体は、隣り合う導体間の距離が略同一であり、かつ、第１の渦巻き状導体の最外周と第２の渦巻き状導体の最外周とが上面視にて略重なるように配置しているため、第１の渦巻き状導体と第２の渦巻き状導体とを上面視にて略重なるように位置させることができ、これにより、第１の渦巻き状導体と第２の渦巻き状導体とが上面視にて重なる部分の長さを長くすることができるため、コモンモードノイズの除去特性を向上させることができるという優れた効果を奏するものである。
【図面の簡単な説明】
【００１４】
【図１】本発明の一実施の形態におけるコモンモードノイズフィルタの分解斜視図
【図２】同コモンモードノイズフィルタの斜視図
【図３】同コモンモードノイズフィルタの等価回路図
【図４】同コモンモードノイズフィルタの主要部（第２の渦巻き状導体）の上面図
【図５】同コモンモードノイズフィルタの主要部（第１の渦巻き状導体）の上面図
【図６】同コモンモードノイズフィルタの主要部（第１、第２の渦巻き状導体）の上面透過図
【図７】同コモンモードノイズフィルタの他の例を示す分解斜視図
【図８】従来のコモンモードノイズフィルタの分解斜視図
【図９】同コモンモードノイズフィルタの積層方向の導体位置及び接続を示す模式図
【図１０】同コモンモードノイズフィルタの主要部の上面透過図
【発明を実施するための形態】
【００１５】
図１は本発明の一実施の形態におけるコモンモードノイズフィルタの分解斜視図、図２は同コモンモードノイズフィルタの斜視図である。
【００１６】
本発明の一実施の形態におけるコモンモードノイズフィルタは、図１に示すように、第１〜第５の絶縁体層１１ａ〜１１ｅと、第１の絶縁体層１１ａに形成された第１の渦巻き状導体１２、および第３の絶縁体層１１ｃに形成された第３の渦巻き状導体１３からなる第１のコイル１４と、第２の絶縁体層１１ｂに形成された第２の渦巻き状導体１５、および第４の絶縁体層１１ｄに形成された第４の渦巻き状導体１６からなる第２のコイル１７とを備え、前記第１の渦巻き状導体１２、第２の渦巻き状導体１５、第３の渦巻き状導体１３、第４の渦巻き状導体１６の順に積層したものである。さらに、第１の渦巻き状導体１２、第２の渦巻き状導体１５をそれぞれ構成する導体は、隣り合う導体間の距離が略同一であり、かつ、外部電極との接続部を除き、第１の渦巻き状導体１２の最外周と第２の渦巻き状導体１５の最外周とが上面視にて重なるように配置し、そして、第３の渦巻き状導体１３、第４の渦巻き状導体１６をそれぞれ構成する導体は、隣り合う導体間の距離が略同一であり、かつ、外部電極との接続部を除き、第３の渦巻き状導体１３の最外周と第４の渦巻き状導体１６の最外周とが上面視にて重なるように配置している。
【００１７】
また、第２の絶縁層１１ｂを介して対向する第１の渦巻き状導体１２と第２の渦巻き状導体１５とを磁気結合させ、さらに第４の絶縁層１１ｄを介して対向する第３の渦巻き状導体１３と第４の渦巻き状導体１６とを磁気結合させて、コモンモードノイズを除去するようにしている。
【００１８】
上記構成において、第１〜第５の絶縁体層１１ａ〜１１ｅは、下から第１の絶縁体層１１ａ、第２の絶縁体層１１ｂ、第３の絶縁体層１１ｃ、第４の絶縁体層１１ｄ、第５の絶縁体層１１ｅの順に積層され、また、Ｃｕ−Ｚｎフェライト、ガラスセラミック等の非磁性材料によりシート状に構成されている。
【００１９】
さらに、前記第１〜第４の渦巻き状導体１２、１５、１３、１６は、それぞれ銀等の導電材料を渦巻状にめっきまたは印刷することにより形成されている。そして、第１の渦巻き状導体１２は第１の絶縁体層１１ａの上面、第２の渦巻き状導体１５は第２の絶縁体層１１ｂの上面、第３の渦巻き状導体１３は第３の絶縁体層１１ｃの上面、第４の渦巻き状導体１６は第４の絶縁体層１１ｄの上面にそれぞれ形成されている。すなわち、第１のコイル１４を構成する渦巻き状導体と第２のコイル１７を構成する渦巻き状導体を交互に積層し、従来の図８に示された構成と同じ積層構造となっている。
【００２０】
また、第１の渦巻き状導体１２と第３の渦巻き状導体１３とは、第２の絶縁体層１１ｂ、第３の絶縁体層１１ｃにそれぞれ形成された２つの第１のビア電極１８を介して互いに直列に接続され、第１のコイル１４が構成される。さらに、第２の渦巻き状導体１５と第４の渦巻き状導体１６とは、第３の絶縁体層１１ｃ、第４の絶縁体層１１ｄに形成された２つの第２のビア電極１９を介して互いに直列に接続され、第２のコイル１７が構成される。そして、第１の渦巻き状導体１２と第２の渦巻き状導体１５は同じ導体間距離を有し、第３の渦巻き状導体１３と第４の渦巻き状導体１６は同じ導体間距離を有している。
【００２１】
なお、第１のビア電極１８はそれぞれ上面視にて同じ位置に設けられ、第２のビア電極１９もそれぞれ上面視にて同じ位置に設けられている。また、第１のビア電極１８、第２のビア電極１９は、絶縁体層の所定の箇所に、レーザまたはパンチング機等により孔あけ加工をし、この孔に銀を充填して形成する。このとき、第１のビア電極１８と第２のビア電極１９は、上面視にて異なる位置に設けられ、第１〜第４の渦巻き状導体１２、１５、１３、１６の渦巻きの内側に位置する。
【００２２】
そして、第１の絶縁体層１１ａの下面、第５の絶縁体層１１ｅの上面に、それぞれ第６の絶縁体層２０が設けられているもので、この第６の絶縁体層２０は、シート状に構成され、Ｎｉ−Ｃｕ−Ｚｎフェライト等の磁性材料で形成されている。なお、第１〜第６の絶縁体層１１ａ〜１１ｅ、２０の枚数は、図１に示された枚数に限られるものではない。
【００２３】
また、第１のコイル１４と第２のコイル１７の磁気結合をより強くするために、非磁性材料で構成された第１〜第５の絶縁体層１１ａ〜１１ｅにおける、第１〜第４の渦巻き状導体１２、１５、１３、１６の渦巻きの内側にそれぞれ磁性材料からなる磁性部２１を、上面視にて互いに同じ位置になるように設けるようにする（第５の絶縁体層１１ｅの磁性部２１は、上の第６の絶縁体層２０に隠れている）。そして、この磁性部２１は、第１〜第５の絶縁体層１１ａ〜１１ｅの所定の箇所に、レーザまたはパンチング機等により孔あけ加工をし、この孔にＮｉ−Ｃｕ−Ｚｎフェライト等の磁性材料を充填して形成する。このとき、第１のビア電極１８、第２のビア電極１９と磁性部２１とは互いに上面視にて接触しないようにするとともに、第１のビア電極１８と第２のビア電極１９が磁性部２１を挟むように位置させる。
【００２４】
そして、上記した構成により、コモンモードノイズフィルタの本体部２２が形成される。また、この本体部２２の両側面には、図２に示すように、第１〜第４の外部電極２３〜２６が設けられ、そしてこの第１〜第４の外部電極２３〜２６はそれぞれ第１〜第４の渦巻き状導体１２、１５、１３、１６と接続されている。さらに、前記第１〜第４の外部電極２３〜２６は、本体部２２の端面に銀を印刷することにより形成され、またこれらの表面にめっきによってニッケルめっき層を形成するとともに、このニッケルめっき層の表面にめっきによってすずやはんだ等の低融点金属めっき層を形成する。
【００２５】
図３は、上記した本発明の一実施の形態におけるコモンモードノイズフィルタの等価回路図である。
【００２６】
図３からも明らかなように、第１の外部電極２３および第２の外部電極２４から入ってくるコモンモードノイズに対して、第１の渦巻き状導体１２と第２の渦巻き状導体１５とが磁気結合し、第３の渦巻き状導体１３と第４の渦巻き状導体１６とが磁気結合して、コモンモードノイズを除去できる。
【００２７】
ここで、図４は、上面視したときの第２の渦巻き状導体１５を示し、図５は、上面視したときの第１の渦巻き状導体１２を示し、図６は、上面視したときの第１の渦巻き状導体１２および第２の渦巻き状導体１５を示している。なお、図６においては、直線は第１の渦巻き状導体１２と第２の渦巻き状導体１５とが上面視にて重なっている箇所、破線は第２の渦巻き状導体１５のみの箇所、点線は第１の渦巻き状導体１２のみの箇所を表す。また、上面視にて第１のビア電極１８、第２のビア電極１９に対応する箇所も同時に示す。
【００２８】
このように、外部電極２３、２４との接続箇所１２ａ、１５ａを除き、第１の渦巻き状導体１２の最外周が第２の渦巻き状導体１５の最外周と略重なるようになっている。また、第１の渦巻き状導体１２、第２の渦巻き状導体１５をそれぞれ構成する導体は、隣り合う導体間の距離が略同一であるため、第１の渦巻き状導体１２の外から２周目と、第２の渦巻き状導体１５の外から２周目とが上面視にて略重なり、第１の渦巻き状導体１２の外から３周目と、第２の渦巻き状導体１５の外から３周目とが上面視にて略重なるという具合になっている。
【００２９】
なお、図５からも分かるように、第１の渦巻き状導体１２の外部電極２３との接続箇所１２ａは、その内側に位置する導体部１２ｂとの距離が近くその形成スペースが限定されてしまうが、この接続箇所１２ａ付近の導体の形状を曲線状にすれば、接続箇所１２ａを形成できるスペースを確保できる。
【００３０】
上記したように本発明の一実施の形態におけるコモンモードノイズフィルタにおいては、第１の渦巻き状導体１２、第２の渦巻き状導体１５をそれぞれ構成する導体は、隣り合う導体間の距離が略同一であり、かつ、第１の渦巻き状導体１２の最外周と第２の渦巻き状導体１５の最外周とが上面視にて略重なるように配置しているため、外部電極２３、２４との接続部１２ａ、１５ａ以外のほとんどの箇所で、第１の渦巻き状導体１２と第２の渦巻き状導体１５とを上面視にて重なるように位置させることができ、これにより、第１の渦巻き状導体１２の巻き数と第２の渦巻き状導体１５の巻き数を略同一にすることができるため、第１の渦巻き状導体１２と第２の渦巻き状導体１５とが上面視にて重なる部分の長さを長くすることができ、これにより、第１の渦巻き状導体１２と第２の渦巻き状導体１５との磁気結合を強くすることができ、さらに、第１の渦巻き状導体１２の長さを第２の渦巻き状導体１５の長さと略同一にでき、これらの結果、コモンモードインピーダンスを大きくすることができないため、コモンモードノイズの除去特性を向上させることができるという効果が得られるものである。
【００３１】
すなわち、図５に示すように、第１の渦巻き状導体１２の最外周を第２の渦巻き状導体１５の最外周に重なるように外側に１ターン分ずらし、さらに２つのビア電極１８、１９に対応する部分のうち、外部電極２３との接続部１２ａと長手方向において近い方と接続させるようにすることにより、第１の渦巻き状導体１２の巻き数を、第２の渦巻き状導体１５の巻き数と略等しい約３ターンとすることができる。つまり、第１の渦巻き状導体１２の巻き数（長さ）は、従来の構成のときの約２．５ターンから約３ターンへと巻き数を多くする（長くする）ことができる。さらに、第１の渦巻き状導体１２の巻き数が約２．５ターンの場合では、第２の渦巻き状導体１５と上面視にて重なる巻き数は、少ない方の約２．５ターンとなってしまうが、第１の渦巻き状導体１２の巻き数を約３ターンへと多くしたことにより、第１の渦巻き状導体１２と第２の渦巻き状導体１５とが上面視にて重なる部分の長さを約３ターンへと長くすることができる。
【００３２】
このとき、図１０に示すように、渦巻き状導体４ａの長さを長くするために、渦巻き状導体５ａと同じように内側にもう１周導体を形成し、さらにビア電極６と延長導体４ｃで示す経路で接続される場合が考えられる。なお、図１０においては、延長導体４ｃは細い直線で図示され上面視で渦巻き状導体５ａと重なっているが、便宜上ずらして図示している。このとき、延長導体４ｃとビア電極７、磁性部８との距離が狭くなるため、渦巻き状導体４ａのパターンずれ等の工程ばらつきによって、内側の延長導体４ｃは磁性部８やビア電極７と短絡するおそれがあり、そして、渦巻き状導体と磁性部８とが短絡すると、ディファレンシャル信号のインピーダンスが高くなって信号が劣化し、延長導体４ｃ、つまり渦巻き状導体４ａとビア電極７とが短絡すると、コモンモードフィルタとして機能しなくなってノイズ除去ができないうえ、ディファレンシャル信号も著しく劣化してしまう。したがって、渦巻き状導体をさらに内側に形成できないという制約条件が存在することになり、渦巻き状導体４ａの巻き数を増やし、コモンモードインピーダンスを増やしてコモンモードノイズ除去特性を向上させることができない。これに対し、本発明は、第１の渦巻き状導体１２の最外周を第２の渦巻き状導体１５の最外周と上面視にて略重なるように配置することで、この制約条件にもかかわらず、第１の渦巻き状導体１２の長さを長くすることができ、第１の渦巻き状導体１２と第２の渦巻き状導体１５とが上面視にて重なる部分の長さを長くなるようにすることができる。
【００３３】
また、上記のような構成にすると、第１の渦巻き状導体１２と第２の渦巻き状導体１５とが上面視にて重なる部分の長さを長くできることから、製品が小型化されてスペースが限られても、渦巻き状導体の巻き数を容易に多くすることができる。
【００３４】
そして、第１の渦巻き状導体１２と第２の渦巻き状導体１５のコイルの線路長を略同じにしているため、第１の渦巻き状導体１２と第２の渦巻き状導体１５を通過する信号間の位相差が発生し位相バランスが崩れてディファレンシャル信号が劣化するようなこともない。
【００３５】
なお、第３の渦巻き状導体１３、第４の渦巻き状導体１６も、第１の渦巻き状導体１２、第２の渦巻き状導体１５と同様の構成にしていることによって、第３の渦巻き状導体１３と第１の渦巻き状導体１２とで形成される第１のコイル１４、第４の渦巻き状導体１６と第２の渦巻き状導体１５とで形成される第２のコイル１７についても、上記と同じ効果を得ることができ、さらに、導体長さを長くすることができるため、よりコモンモードノイズの除去特性を向上させることができる。また、第１のコイル１４の巻き数と第２のコイル１７の巻き数を略同一にすることができるため、導体長の違いにより信号間の位相差が発生し位相バランスが崩れることによるディファレンシャル信号の劣化が発生することはない。
【００３６】
そしてまた、第１のコイル１４を構成する渦巻き状導体と第２のコイル１７を構成する渦巻き状導体を交互に積層するのではなく、図７に示すように、第１のコイル１４を構成する第１の渦巻き状導体１２と第３の渦巻き状導体１３との間に、第２のコイル１７を構成する第２の渦巻き状導体１５、第４の渦巻き状導体１６を積層してもよく、この場合も、第１のコイル１４、第２のコイル１７の導体長さを長くすることができる。また、積層方向に隣り合うこれらの渦巻き状導体１５、１６が同電位となるため、積層方向に隣り合う渦巻き状導体１５、１６間で浮遊容量は発生せず、これにより、浮遊容量によって特性インピーダンスが低下するのを防止できるため、規定の特性インピーダンスが得られるという効果が得られるものである。
【００３７】
このとき、第１の渦巻き状導体１２と第３の渦巻き状導体１３とは、第２の絶縁体層１１ｂ〜第４の絶縁体層１１ｄにそれぞれ形成された３つの第１のビア電極１８を介して互いに接続し、第１のコイル１４を構成する。さらに、第２の渦巻き状導体１５と第４の渦巻き状導体１６とは、第３の絶縁体層１１ｃに形成された１つの第２のビア電極１９を介して互いに接続し、第２のコイル１７を構成する。そして、その等価回路は図３と同じになっている。
【００３８】
なお、上記した本発明の一実施の形態においては、第１のコイル１４、第２のコイル１７をそれぞれ１つ設けたものについて説明したが、２つ以上設けてアレイタイプとしてもよい。
【００３９】
また、第１、第２のコイル１４、１７をそれぞれ構成する渦巻き状導体を２つとし、４つの渦巻き状導体を積層したものについて説明したが、第１、第２のコイル１４、１７をそれぞれ構成する渦巻き状導体を３つ以上とし、６つ以上の渦巻き状導体を積層するようにしてもよい。この場合も、上記実施の形態と同様の構成を採用すれば、コモンモードノイズの除去特性を向上させることができるという効果を得ることができる。
【００４０】
さらに、第１〜第４の渦巻き状導体１２、１５、１３、１６の巻き数が約３ターンのものについて説明したが、他のターン数のものであってもよい。
【産業上の利用可能性】
【００４１】
本発明に係るコモンモードノイズフィルタは、コモンモードノイズの除去特性を向上させることができるという効果を有するものであり、特にデジタル機器やＡＶ機器、情報通信端末等の各種電子機器のノイズ対策として使用されるコモンモードノイズフィルタ等において有用となるものである。
【符号の説明】
【００４２】
１１ａ〜１１ｅ  第１〜第５の絶縁体層
１２  第１の渦巻き状導体
１３  第３の渦巻き状導体
１４  第１のコイル
１５  第２の渦巻き状導体
１６  第４の渦巻き状導体
１７  第２のコイル
２１  磁性部
２３〜２６  第１〜第４の外部電極
【図１】
0005849241.tif 000002
【図２】
0005849241.tif 000003
【図３】
0005849241.tif 000004
【図４】
0005849241.tif 000005
【図５】
0005849241.tif 000006
【図６】
0005849241.tif 000007
【図７】
0005849241.tif 000008
【図８】
0005849241.tif 000009
【図９】
0005849241.tif 000010
【図１０】
0005849241.tif 000011